(57)【要約】【課題】コンパクト容器で、閉蓋完了時までに蓋体を係合位置に自動的に移動させ、スムーズな閉蓋動作を行う。【解決手段】蓋体３が容器本体２に開閉自在にヒンジ結合され、係合位置Ｘで蓋体３を容器本体２に係合保持すると共に、係合位置Ｘから左右方向に偏倚した係合解除位置Ｙに蓋体３をスライドさせ係合解除可能とする係合手段５を備えるコンパクト容器において、閉蓋完了時までに蓋体３を係合位置Ｘに移動する戻し手段３１を有する。【選択図】      図１
2004321317.tif 000002
【特許請求の範囲】
【請求項１】
蓋体が容器本体に開閉自在にヒンジ結合され、係合位置で蓋体を容器本体に係合保持すると共に、係合位置から左右方向に偏倚した係合解除位置に蓋体をスライドさせ係合解除可能とする係合手段を備えるコンパクト容器において、
閉蓋完了時までに蓋体を係合位置に移動する戻し手段を有することを特徴とするコンパクト容器。
【請求項２】
前記蓋体の後部に蝶番部を設け、容器本体の後部に蝶番部より幅広で且つ蝶番部を保持する蝶番保持部を設け、前記蝶番部を幅方向軸心周り回動自在で且つ前記スライドを許容するように蝶番保持部に連結することで蓋体と容器本体とがヒンジ結合しており、
前記戻し手段は、蝶番部に設けられた被ガイド部と、容器本体に設けられ且つ蓋体の開閉動作にしたがって被ガイド部を案内することで蓋体を係合位置に移動させるガイド部とを有することを特徴とする請求項１に記載のコンパクト容器。
【請求項３】
前記被ガイド部は、蝶番部の左右方向略中央に設けられた突起であり、ガイド部は容器本体の後部で幅方向略中央に設けられ且つ閉動作にしたがって前記被ガイド部を摺動させ案内する戻し傾斜面を有することを特徴とする請求項２に記載のコンパクト容器。
【請求項４】
前記ガイド部は２つの戻し傾斜面を有しており、前記戻し傾斜面を正面視で上方拡開するように形成していることを特徴とする請求項３に記載のコンパクト容器。
【請求項５】
前記蓋体の後部に蝶番部を設け、容器本体の後部に蝶番部より幅広で且つ蝶番部を保持する蝶番保持部を設け、前記蝶番部を幅方向軸心周り回動自在で且つ前記スライドを許容するように蝶番保持部に連結することで蓋体と容器本体とがヒンジ結合しており、
前記戻し手段は、蓋体を係合位置に向けて付勢する弾性体を蝶番部と蝶番保持部との間に有することを特徴とする請求項１に記載のコンパクト容器。
【請求項６】
前記スライド時に蓋体が開方向に案内されて動くように、容器本体は案内傾斜面を有し、蓋体は前記案内傾斜面上を摺動しつつ上昇する傾斜面係合部を有することを特徴とする請求項１〜５のいずれかに記載のコンパクト容器。
【請求項７】
前記案内傾斜面を容器本体の上面に設け、前記傾斜面係合部を蓋体の下面に設け且つ案内傾斜面に面接する傾斜面とすることを特徴とする請求項６に記載のコンパクト容器。
【発明の詳細な説明】
【０００１】
【発明の属する技術分野】
本発明は、容器本体と蓋体とを開閉自在にヒンジ結合してなるコンパクト容器に関するものである。
【０００２】
【従来の技術】
従来、この種のコンパクト容器としては、例えば、特許文献１に記載されたものがあった。
このコンパクト容器は、図１５に示す如く、容器本体６０とその上面を閉塞する蓋体６１とがそれぞれの後部で枢着されており、容器本体６０と蓋体６１との前面には両者６０，６１を係合保持状態とする係合手段６２が設けられている。また、容器本体６０の前部には案内傾斜面６３が形成され、蓋体６１の前面から垂下するように設けられた傾斜面係合部６４と係合するようになっている。
【０００３】
前記蓋体６１は左右方向にスライド可能であって、容器本体６０に対して偏倚させた場合に前記係合手段６２は係合解除状態となると共に、傾斜面係合部６４が案内傾斜面６３上を摺動しつつ上昇することで、蓋体６１は開方向に案内されて浮き上がるようになっていた。
【０００４】
【特許文献１】
実開平２−５１８１４号公報  （第４図）
【０００５】
【発明が解決しようとする課題】
しかしながら、かかるコンパクト容器は、蓋体６１のスライドによる偏倚量が大きすぎた場合、図１５のように、閉蓋時に傾斜面係合部６４が容器本体周縁部６５に突き当たり、スムーズな閉動作が行えないことがあった。
そこで、本発明は、上記問題点に鑑み、閉蓋完了時までに蓋体を係合位置に移動させ、スムーズな閉蓋動作が行えるようにしたコンパクト容器を提供することを目的とするものである。
【０００６】
【課題を解決するための手段】
前記目的を達成するため、本発明においては以下の技術的手段を講じた。
すなわち、本発明における課題解決のための技術的手段は、蓋体が容器本体に開閉自在にヒンジ結合され、係合位置で蓋体を容器本体に係合保持すると共に、係合位置から左右方向に偏倚した係合解除位置に蓋体をスライドさせ係合解除可能とする係合手段を備えるコンパクト容器において、閉蓋完了時までに蓋体を係合位置に移動する戻し手段を有することを特徴とする。
【０００７】
この技術的手段によれば、コンパクト容器において、閉蓋完了時までに蓋体が容器本体と係合する係合位置に、スムーズに蓋体を移動させ、蓋体で容器体本体上面を閉塞することができるようになる。
また、本発明における課題解決のための技術的手段は、前記蓋体の後部に蝶番部を設け、容器本体の後部に蝶番部より幅広で且つ蝶番部を保持する蝶番保持部を設け、前記蝶番部を幅方向軸心周り回動自在で且つ前記スライドを許容するように蝶番保持部に連結することで蓋体と容器本体とがヒンジ結合しており、前記戻し手段は、蝶番部に設けられた被ガイド部と、容器本体に設けられ且つ蓋体の開閉動作にしたがって被ガイド部を案内することで蓋体を係合位置に移動させるガイド部とを有することを特徴とする。
【０００８】
この技術的手段によれば、蓋体の蝶番部が、蝶番保持部に幅方向軸心周り回動自在で且つ幅方向スライド自在に連結され、蓋体と容器本体とが前記スライドを許容するようにヒンジ結合されることになる。
加えて、開閉動作と共に、蝶番部に設けられた被ガイド部が容器本体に設けられたガイド部により案内されることで、蓋体を前記係合位置にスムーズに移動させることが可能となる。
また、本発明における課題解決のための技術的手段は、前記被ガイド部は、蝶番部の左右方向略中央に設けられた突起であり、ガイド部は容器本体の後部で幅方向略中央に設けられ且つ閉動作にしたがって前記被ガイド部を摺動させ案内する戻し傾斜面を有することを特徴とする。
【０００９】
この技術的手段によれば、蓋体の閉動作時に、突起である被ガイド部がガイド部の有する戻し傾斜面を摺動することで、蓋体が係合位置に滑らかに移動するようになる。
また、本発明における課題解決のための技術的手段は、前記ガイド部は２つの戻し傾斜面を有しており、前記戻し傾斜面を正面視で上方拡開するように形成していることを特徴とする。
この技術的手段によれば、上方拡開した２つの戻し傾斜面のいずれか一方にガイド突起が係合し摺動することで、左右どちらの方向に偏倚した蓋体であっても、係合位置に滑らかに移動させることができるようになる。
【００１０】
また、本発明における課題解決のための技術的手段は、前記蓋体の後部に蝶番部を設け、容器本体の後部に蝶番部より幅広で且つ蝶番部を保持する蝶番保持部を設け、前記蝶番部を幅方向軸心周り回動自在で且つ前記スライドを許容するように蝶番保持部に連結することで蓋体と容器本体とがヒンジ結合しており、前記戻し手段は、蓋体を係合位置に向けて付勢する弾性体を蝶番部と蝶番保持部との間に有することを特徴とする。
この技術的手段によれば、蝶番部と蝶番保持部との間に設けられた弾性体が、確実に蓋体を係合位置に向けて付勢するようになると共に、使用者の目に触れる部分に戻し手段が形成されず、見栄えのよいコンパクト容器とすることが可能となる。
【００１１】
また、本発明における課題解決のための技術的手段は、前記スライド時に蓋体が開方向に案内されて動くように、容器本体は案内傾斜面を有し、蓋体は前記案内傾斜面上を摺動しつつ上昇する傾斜面係合部を有することを特徴とする。
この技術的手段によれば、蓋体をスライドした際に、蓋体の傾斜面係合部が容器本体の案内傾斜面上を摺動しつつ上昇するために、蓋体が開方向に案内されて浮き上がるように動くことになる。
また、本発明における課題解決のための技術的手段は、前記案内傾斜面を容器本体の上面に設け、前記傾斜面係合部を蓋体の下面に設け且つ案内傾斜面に面接する傾斜面とすることを特徴とする。
【００１２】
この技術的手段によれば、容器本体の上面に設けられた案内傾斜面上を、蓋体の下面に設けられた傾斜面である傾斜面係合部がスライドすることで、蓋体が開方向に案内されて浮き上がるように動くことになる。
【００１３】
【発明の実施の形態】
以下、本発明にかかるコンパクト容器の第１実施形態を図に基づいて説明する。
本実施形態で例示するコンパクト容器は化粧品等を収納するものであり、図１に示すように、容器本体２と、この容器本体２の上面４を閉塞する蓋体３とを有し、両者は後部でヒンジ結合されると共に、蓋体３は容器本体２の上面４を開閉する方向に揺動自在となっている。
【００１４】
コンパクト容器１の前部には、容器本体２の上面４に覆い被さった蓋体３を容器本体２に係合保持させる係合手段５を有しており、この係合手段５を解除して、蓋体３を図１の矢印Ｏのように前面から持ち上げることで、蓋体３を開ける（開蓋する）ことが可能となっている。
なお、発明の実施の形態の説明においては、図１に示す如く、矢印Ａ方向を前後方向、矢印Ｂ方向を左右方向（幅方向）と呼ぶ。また、矢印Ｃの方向を蓋体３の閉方向、矢印Ｏを開方向と呼ぶ。
【００１５】
図１、図２に示すように、前記蓋体３は平面視略矩形であり、容器本体２の上面４に対面する側（下面）８には周縁部９が突設され、蓋体３の後部には容器本体２と連結するための蝶番部１０が垂下するように形成されている。
この蝶番部１０の幅方向両側には、非円形の嵌合穴１１が形成されており、左右両方から後述の連結部材１２が出退自在に挿入されている。当該嵌合穴１１は非円形であるため、挿入された連結部材１２は蝶番部１０に対して回動不能である。
【００１６】
蓋体下面８であってその前部で且つ略中央には、傾斜面係合部である掛止片２９が垂下するように設けられ、その先端は外側に鉤型に突出した係合部１４となっている。この係合部１４が後述する容器本体の被係合部１５と係合することで、容器本体２と蓋体３とを係合保持する係合手段５が構成される。
蓋体下面８側の略中央には、鏡１６が設けられており、使用者が化粧をする際の便宜を図るようにしている。
一方、容器本体２は平面視略矩形であり、前記蓋体３と略同一の大きさ（略合同）を有しており、その中央には、ファンデーション、アイシャドー、口紅等の化粧品等を充填可能な収納凹部１８が形成され、その周囲は周縁部１９となっている。
【００１７】
容器本体２の後部で且つ幅方向略中央には、蝶番部１０が嵌り込む蝶番保持部２０が形成されている。この蝶番保持部２０は、容器本体２の後部で左右両側から後方に突出する突出部２１と、この突出部２１に挟まれた凹状部２２とから形成されている。この凹状部２２の幅方向の長さ、すなわち前記突出部２１の幅方向内側の側壁（内側壁）２３間の距離は、蝶番部１０の幅より大きくなっていると共に、凹状部２２の深さは蝶番部１０が嵌り込み可能なものとなっている。
凹状部２２を形成している容器本体２の後部側壁（後側壁）２４には、後述のガイド部３２が形成されている。
【００１８】
容器本体前部の周縁部１９でその略中央には、前記係合部１４に係合して、蓋体３を容器本体２に係合保持可能とする被係合部１５が突設されている。
詳しくは、周縁部１９にくぼみ２５（下方向きの凹部）が形成され、このくぼみ２５内の左右側には、蓋体３（蓋体３の有する掛止片２９）を開方向に案内する上方拡開の２つの案内傾斜面２６が形成されており、この案内傾斜面２６の下端側で且つくぼみ２５内の前側に被係合部１５が突設されている。
蓋体３は容器本体２に、図２に示す如く連結している。すなわち、蝶番部１０の左右両側の嵌合穴１１には、蓋体３と容器本体２とを連結する連結部材１２が嵌り込んでおり、その連結部材１２の左右外側の摺動面２７が内側壁２３に接するように、蝶番部１０は蝶番保持部２０に嵌め込まれている。
【００１９】
その上で、容器本体２の突出部２１を介して連結ピン部材２８が連結部材１２の左右方向軸心に嵌通されている。
これにより、蓋体３は、連結ピン部材２８の軸周り回動自在に容器本体２へ連結されることになる。ゆえに、蓋体３は開方向や閉方向に揺動自在で、容器本体２の上面４を上方から閉塞する閉蓋状態と、図１の実線や２点鎖線で示される開蓋状態とに切換自在となっている。
連結部材１２は蝶番部１０に対して幅方向に出退自在であり、且つ蝶番保持部２０は蝶番部１０に比べて幅広であって、前記連結部材１２は連結ピン部材２８で突出部２１と接する位置を保持されるようになっているため、図４に示す如く、蝶番部１０は内側壁２３間に亘ってスライド可能な状態となっている。そのため、蓋体３は容器本体上面４を矢印Ｓのように左右方向いずれにも摺動可能となっている。
【００２０】
コンパクト容器１を開蓋する、すなわち係合保持状態を解除するには、図５、図９に示す如く、蓋体３を左右方向にスライドさせるようにする（係合解除位置Ｙ）。すると、係合部１４が被係合部１５の横の方にずれつつ、掛止片２９の弾性変形によって被係合部１５を乗り越えることにより、両者１４，１５の係合が解除されることになる。
さらに、蓋体３の掛止片２９が案内傾斜面２６上を摺動しつつ上方へ移動して、蓋体３は浮き上がるように開方向へ開くことになる。蓋体３を左右方向のいずれかにスライドさせ、蓋体３が若干持ち上がるようにし係合解除させることで、コンパクト容器使用時の高級感を醸し出すことが可能となる。したがって、蓋体３と容器本体２との間に爪を差し入れて蓋体３を持ち上げるようにする必要がなくなり、使用者は自然に持ち上がった蓋体３を操作すればよいことになる。
【００２１】
しかしながら、前記蓋体３のスライド量（偏倚量）が大きい場合には、図１５の従来例に示すように、蓋体を閉める時、掛止片２９の先端が周縁部１９に突き当たりスムーズな閉蓋動作が行えなくなる。このような状況は、単に使い勝手悪いばかりではなく、高級感やスムーズな使用感を醸し出すことが重要な化粧品向けのコンパクト容器１において、甚だ問題である。
本実施形態では、上記問題を解消するべく、閉蓋完了時までに、蓋体３を前記係合位置Ｘに自動的に移動させるための戻し手段３１を備えている。
【００２２】
すなわち、前記戻し手段３１はガイド部３２とこのガイド部３２で案内される被ガイド部３３とを有しており、蓋体蝶番部１０の幅方向略中央部には、被ガイド部であるガイド突起３３が設けられている。また、蝶番保持部２０の後側壁２４の幅方向中央部には、前記ガイド突起３３を案内するガイド部３２が設けられている。
ガイド部３２は、図６に示すように、２つの戻し傾斜面３５を有しており、正面視で上方拡開するように形成されている。この戻し傾斜面３５の下端は容器本体２の幅方向略中央に位置するようになっている。
【００２３】
ガイド突起３３は、閉蓋時において係合手段５が作動する前に、戻し傾斜面３５に到達する位置に設けられている。本実施形態の場合は、蓋体３が容器本体上面４に対して側面視で略４５度ぐらいの傾きの時に、ガイド突起３３が戻し傾斜面３５に係合する位置に設けられている。
蓋体３を閉方向に移動させると、ガイド突起３３が左右いずれかの戻し傾斜面３５上を摺動し、その下端側へ移動するように案内され、容器本体２の幅方向略中央に移動するようになる。したがって、係合手段５が作動する前に、蓋体３を係合位置Ｘすなわち容器本体２に平面視で重なり合う位置に自動的に移動させ得るものとなっている。
【００２４】
すなわち、左右方向に偏倚していた蓋体３は、閉動作にしたがって、その偏倚が零となる係合位置Ｘに移動し、スムーズに容器本体２を閉塞可能となる。蓋体３の掛止片２９が容器本体２の周縁部１９に突きあたり、係合手段５の係合に不具合が生じるような状況を回避することが可能となる。
本実施形態のコンパクト容器１の動作について、図３〜図９に基づいて、以下説明する。
閉蓋状態にある蓋体３を開ける場合は、まず、蓋体３を左右方向いずれか一方にスライドさせるようにする。すると、図５、図９に示すように、コンパクト容器１の前部に設けられている係合手段５が解除される。すなわち蓋体３の有する係合部１４が容器本体２の被係合部１５からはずれることになる。さらに、掛止片２９が案内傾斜面２６（図３では右側）上を摺動しつつ上昇するため、蓋体３が浮き上がり、開蓋状態となる。
【００２５】
案内傾斜面２６は左右両側に設けられているため、蓋体３は左右方向どちらでもスライド可能であり、右利き、左利きに左右されず万人にとって使いやすいものとなっている。
その後、蓋体３を指で保持し、開方向へ移動させることにより、容器本体２の上面４が非閉塞状態となり、化粧品等の内容物を取り出すことが可能となる。
内容物を取り出した後、蓋体３を閉めるときは、蓋体３を閉方向に移動させる。その際、図６、図７に示す如く、蝶番部１０の回動に伴い、ガイド突起３３がガイド部３２に嵌り込むようになる。ガイド部３２に嵌り込んだガイド突起３３は、ガイド部３２の有する戻し傾斜面３５（図６では左側）上を摺動しつつ下方に降りてゆき、ガイド突起３３は平面視で幅方向略中心へと移動するようになる。
【００２６】
これにより、容器本体２に対して左右に偏倚していた蓋体３（図中の実線）は係合位置Ｘ（図中の２点鎖線）に自動的に戻ることとなる。
その後、掛止片２９が案内傾斜面２６にスムーズに当接して摺動しつつ下方へ移動し、係合部１４が被係合部１５上を乗り越えて係合するようになり、図８に示す如く、蓋体３が容器本体上面４を閉塞した状態で係合保持されることとなる。
この係合部１４と被係合部１５の係合状態は、通常の振動等では解除不可能なものとなっていると共に、図５や図９からわかるように、掛止片２９の左右側に近接して案内傾斜面２６が形成されているため、蓋体３は容易には左右方向へスライドできず、不用意に蓋体３が開くことが防止されるようになっている。
【００２７】
さらに、左右両側の戻し傾斜面３５により、蓋体３が左右どちらに偏倚していても、閉蓋完了時までに、蓋体３の中心と容器本体２の中心とが一致する係合位置Ｘに蓋体３を移動させることが可能となっている。
なお、戻し手段３１は、閉動作で被ガイド部３３がガイド部３２に係合するようになっているが、開動作で両者が係合し蓋体３を係合位置Ｘに移動させるものであってもよい。
また、前記戻し手段３１は、本実施形態とは逆に、蝶番保持部２０の後側壁２４の幅方向中央部に被ガイド部であるガイド突起３３を有し、蓋体蝶番部１０の幅方向略中央部に前記ガイド突起３３を案内するガイド部３２（戻し傾斜面３５）を有するようにしても何ら問題はない。
【００２８】
本発明にかかるコンパクト容器１の第２実施形態について述べる。
本実施形態は、図１０に示す如く、蝶番部１０の嵌合穴１１にコイルバネ等の弾性体３８を挿入した上で、連結部材１２を出退自在に挿入して戻し手段３１を構成しており、第１実施形態と大きく異なっている。他の構成は第１実施形態と略同一である。
例えば、図１１に示すように、蓋体３を背面視で左方向にスライドさせた場合、蝶番部１０が背面視で左に移動し、左側の嵌合穴１１の底部が連結部材１２に近づき、弾性体３８が圧縮（収縮）されることになる。この弾性体３８の付勢力（復元力）で、蓋体３は係合位置Ｘに押し戻されるようになる。
【００２９】
ゆえに、スライド後、蓋体３を保持している指を離した途端に、戻し手段３１は作用し蓋体３は瞬時に係合位置Ｘに自動で戻ることになる。
また、弾性体３８は嵌合穴１１内に挿入されているために、使用者は戻し手段３１が設けられていることを見た目では認識できず、意匠的にすぐれたコンパクト容器１となっている。
本実施形態の戻し手段３１を、第１実施形態に併用して適用することも可能である。すなわち、ガイド体及び被ガイド体による戻し手段３１と、弾性体３８による戻し手段３１とを併設したコンパクト容器１とすることもできる。これにより、蓋体３が確実に係合位置Ｘに移動するようになる。
【００３０】
本発明にかかるコンパクト容器の第３実施形態について述べる。
本実施形態は、案内傾斜面２６と傾斜面係合部２９とが前記実施形態と異なっており、他の構成は第１又は第２実施形態と略同一である。すなわち、戻し手段３１は第１、第２実施形態のものと略同一である。
図１２に示す如く、案内傾斜面は、容器本体周縁部１９の左右側に形成された第１案内傾斜面２６であり、この傾斜面２６は容器内側に行くにしたがって上昇するような傾き、換言すれば、断面正面視で下方拡開するように形成されている。
【００３１】
また、傾斜面係合部は、蓋体周縁部９の左右側に設けられた第２案内傾斜面２９であり、閉蓋時に第１案内傾斜面２６と面接するものとなっている。
例えば、蓋体３を正面視で右方向にスライドした際には、左側の第２案内傾斜面２９が第１案内傾斜面２６上を摺動し、上昇する方向へ移動することになる。それに伴い、蓋体３も開方向に浮き上がるように移動することになる。蓋体３を左方向へスライドさせた場合も略同様である。
周縁部９，１９に傾斜面を形成するだけで戻し手段３１を設けることが可能となり、製造コストの低減につなげることが可能となる。
【００３２】
本発明にかかるコンパクト容器の第４実施形態について述べる。
本実施形態は、案内傾斜面２６と傾斜面係合部２９とが第３実施形態と異なっており、他の構成は第３実施形態と略同一である。すなわち、戻し手段３１は第１、第２実施形態のものと略同一である。
図１３に示す如く、案内傾斜面は、容器本体周縁部１９の左右側に形成された第１案内傾斜面２６であり、この傾斜面２６は、容器内側に行くにしたがって上昇するような傾き、換言すれば、断面正面視で下方拡開するように形成されている。
【００３３】
この第１案内傾斜面２６は、収納凹部１８の縁端部に形成されており、容器本体周縁部１９の最も外側には形成されていない。その部位は平面４１となっている。
傾斜面係合部は、蓋体周縁部９の左右側に設けられた第２案内傾斜面２９であり、閉蓋時に第１案内傾斜面２６と面接するものである。第２案内傾斜面２９も周縁部９の最外側には形成されておらず、その部位は平面４１となっている。
この構成であっても、例えば、蓋体３を正面視で右方向にスライドした際には、左側の第２案内傾斜面２９が、第１案内傾斜面２６上を摺動し上昇する方向へ移動することになる。それに伴い、蓋体３も開方向に浮き上がるように移動することになる。蓋体３を左方向へスライドさせた場合も略同様である。
【００３４】
本実施形態では、容器本体周縁部１９の最外側に平面４１が形成されており、蓋体３をスライドした際に、第１案内傾斜面２６すなわち戻し手段３１が見えることがなく、意匠的にすぐれたコンパクト容器１となっている。
第２案内傾斜面２９は、蓋体３の左右の周縁部９の全体に亘って設ける必要はなく、図１４に示すように、一部に設けるようにしても何ら問題はない。
なお、本発明にかかるコンパクト容器１は、上記実施の形態に限定されるものではない。
【００３５】
すなわち、コンパクト容器１の内容物としてファンデーション等の化粧品を例示しているが、これに限ったものではなく、医薬品や塗料等であってもよい。内容物の状態は液体や固体いずれでもよい。
また、本コンパクト容器１の構造を、例えば、シャンプーやリンス等のキャップ部に採用してもよい。
【００３６】
【発明の効果】
本発明によれば、閉蓋完了時までに蓋体３を係合位置Ｘに自動的に移動させることができ、スムーズな閉蓋動作が行えるようになる。
【図面の簡単な説明】
【図１】本発明の第１実施形態を示す斜視図である。
【図２】第１実施形態の分解斜視図である。
【図３】第１実施形態の開蓋方法を示す斜視図である。
【図４】第１実施形態の背面断面図である。
【図５】第１実施形態の正面断面図である。
【図６】第１実施形態の戻し手段の動作を示す背面図である。
【図７】第１実施形態の戻し手段の動作を示す平面図である。
【図８】第１実施形態の係合手段を示す側面断面図である。
【図９】第１実施形態の係合手段の係合解除動作を示す正面断面図である。
【図１０】本発明の第２実施形態を示す分解斜視図である。
【図１１】第２実施形態の背面断面図である。
【図１２】本発明の第３実施形態を示す正面図である。
【図１３】本発明の第４実施形態を示すの正面断面図である。
【図１４】第４実施形態の蓋体を示す斜視図である。
【図１５】従来例を示す斜視図である。
【符号の説明】
１      コンパクト容器
２      容器本体
３      蓋体
５      係合手段
１０    蝶番部
２０    蝶番保持部
２６    案内傾斜面
２９    傾斜面係合部
３１    戻し手段
３２    ガイド部
３３    被ガイド部
３５    戻し傾斜面
３８    弾性体
【図１】
2004321317.tif 000003
【図２】
2004321317.tif 000004
【図３】
2004321317.tif 000005
【図４】
2004321317.tif 000006
【図５】
2004321317.tif 000007
【図６】
2004321317.tif 000008
【図７】
2004321317.tif 000009
【図８】
2004321317.tif 000010
【図９】
2004321317.tif 000011
【図１０】
2004321317.tif 000012
【図１１】
2004321317.tif 000013
【図１２】
2004321317.tif 000014
【図１３】
2004321317.tif 000015
【図１４】
2004321317.tif 000016
【図１５】
2004321317.tif 000017